(57)【要約】【課題】本発明は、停電状態が発生した場合、停電状態直前の運転状態で運転を再開することができる食器洗浄乾燥装置を提供する。【解決手段】停電後、運転制御手段は、停電検出手段によって停電状態が復帰したか否かを検出する。また、前記運転制御手段は、温度検出手段によって洗浄庫内の水および空気の温度が略設定温度であるか否かを検出する。そして、前記運転制御手段は、運転状態記憶手段から停電状態直前の運転状態を読み出し、そのまま運転状態を継続するように制御する。すなわち、停電状態が短い場合、運転制御手段は、停電状態の直前と同じ運転状態で食器類を洗浄、すすぎ、あるいは乾燥のいずれかをそのまま継続する。【選択図】  図１
2004329545.tif 000002
【特許請求の範囲】
【請求項１】
洗浄庫内への水の供給を制御する給水弁と、
前記洗浄庫内への水および空気を加熱できる加熱手段と、
前記洗浄庫内の水温と洗浄庫内の庫内温度を検出できる温度検出手段と、
前記温度検出手段によって得られた温度情報に基づき前記加熱手段の温度および運転状態を制御する制御手段と、
から構成されている洗浄庫内の食器等を洗浄、すすぎ、乾燥する食器洗浄乾燥装置において、
停電状態を検出する停電検出手段と、
前記停電検出手段によって停電状態を検出した場合、停電直前の運転状態を記憶する運転状態記憶手段と、
前記停電検出手段によって停電状態の復帰状態を検出し、前記温度検出手段によって洗浄庫内の水および空気の温度が略設定温度であることを検出した場合、前記運転状態記憶手段から停電状態直前の運転状態を読み出し、そのまま前記運転状態を継続するように制御する停電後運転制御手段と、
を有することを特徴とする食器洗浄乾燥装置。
【請求項２】
洗浄庫内への水の供給を制御する給水弁と、
前記洗浄庫内への水および空気を加熱できる加熱手段と、
前記洗浄庫内の水温と洗浄庫内の庫内温度を検出できる温度検出手段と、
前記温度検出手段によって得られた温度情報に基づき前記加熱手段の温度および運転状態を制御する制御手段と、
から構成されている洗浄庫内の食器等を洗浄、すすぎ、乾燥する食器洗浄乾燥装置において、
停電状態を検出する停電検出手段と、
前記停電検出手段によって停電状態を検出した場合、停電状態直前の運転状態を記憶する運転状態記憶手段と、
前記停電検出手段によって停電状態の復帰状態を検出し、前記温度検出手段によって洗浄庫内の水および空気の温度が設定温度より低いことを検出した場合、前記運転状態記憶手段から停電状態直前の運転状態を読み出し、前記運転および前記温度状態に基づいて前記洗浄庫内の水および空気を設定温度まで加熱するとともに、停電状態直前の運転状態を継続するように制御する停電後運転制御手段と、
を有することを特徴とする食器洗浄乾燥装置。
【請求項３】
前記温度検出手段が前記洗浄庫内の水および空気が設定温度になった場合、停電後運転制御手段は、残りの運転時間のカウントを再開させることを特徴とする請求項２に記載された食器洗浄乾燥装置。
【請求項４】
前記運転状態は、洗浄、すすぎ、乾燥のいずれかであることを特徴とする請求項１ないし請求項３のいずれか１項に記載された食器洗浄乾燥装置。
【発明の詳細な説明】
【０００１】
【発明の属する技術分野】
本発明は、食器類を洗浄、すすぎ、あるいは乾燥する際に、これらの能力を低下することなく、充分に遂行することができる食器洗浄乾燥装置に関するものである。
【０００２】
【従来の技術】
洗浄庫内に収納した食器類は、設定された温度の水および空気中で自動的に洗浄、すすぎ、乾燥が行われる。このような食器洗浄乾燥装置は、既に、種々の機種が市場に供給されている。そして、前記食器洗浄乾燥装置は、他機種との差別化を図るための一つの工夫として、現状の機種より少しでも安定した洗浄能力を発揮するものが望まれている。
【０００３】
図４は食器洗浄乾燥装置における洗浄工程の温度に関する図であり、▲１▼は通常の洗浄工程であり、▲２▼は停電が発生した場合の洗浄工程である。食器洗浄乾燥装置は、食器類の洗浄能力を発揮するために、図示されていない加熱手段によって、洗浄水を図４▲１▼に示すような設定温度に向けて上昇させている。前記洗浄水の温度が設定温度に達した場合、洗浄工程は、開始して、所定の時間後に洗浄工程が終了する。
【０００４】
次に、加熱手段によって洗浄水の温度が設定温度にまで上昇し、加熱手段のヒータがｏｆｆ  となり、図４▲２▼に示すように、洗浄工程中のＰ１において、停電があったとする。そして、図４▲２▼に示すＰ２で、停電が復帰した場合、洗浄工程の終了時には、洗浄水の温度が設定温度よりかなり低下しており、洗浄能力に問題が発生する。
【０００５】
本発明は、以上のような問題を解決するためのものであり、停電状態が発生した場合、停電状態直前の運転状態で運転を再開することができる食器洗浄乾燥装置を提供することを目的とする。また、停電状態が長く継続されて、洗浄水の温度が大幅に低下した場合、洗浄庫における水の洗浄能力の低下を防止するために、加熱手段によって前記洗浄水等を加熱した後、前記停電状態直前の運転状態を再開することができる食器洗浄乾燥装置を提供することを目的とする。
【０００６】
【課題を解決するための手段】
（第１発明）
第１発明の食器洗浄乾燥装置は、洗浄庫内への水の供給を制御する給水弁と、前記洗浄庫内への水および空気を加熱できる加熱手段と、前記洗浄庫内の水温と洗浄庫内の庫内温度を検出できる温度検出手段と、前記温度検出手段によって得られた温度情報に基づき前記加熱手段の温度および運転状態を制御する制御手段とから構成されている洗浄庫内の食器等を洗浄、すすぎ、乾燥工程を有するものであり、停電状態を検出する停電検出手段と、前記停電検出手段によって停電状態を検出した場合、停電直前の運転状態を記憶する運転状態記憶手段と、前記停電検出手段によって停電状態の復帰状態を検出し、前記温度検出手段によって洗浄庫内の水および空気の温度が略設定温度であることを検出した場合、前記運転状態記憶手段から停電状態直前の運転状態を読み出し、そのまま前記運転状態を継続するように制御する停電後運転制御手段とを有することを特徴とする。
【０００７】
（第２発明）
第２発明の食器洗浄乾燥装置は、洗浄庫内への水の供給を制御する給水弁と、前記洗浄庫内への水および空気を加熱できる加熱手段と、前記洗浄庫内の水温と洗浄庫内の庫内温度を検出できる温度検出手段と、前記温度検出手段によって得られた温度情報に基づき前記加熱手段の温度および運転状態を制御する制御手段とから構成されている洗浄庫内の食器等を洗浄、すすぎ、乾燥工程を有するものであり、停電状態を検出する停電検出手段と、前記停電検出手段によって停電状態を検出した場合、停電状態直前の運転状態を記憶する運転状態記憶手段と、前記停電検出手段によって停電状態の復帰状態を検出し、前記温度検出手段によって洗浄庫内の水および空気の温度が設定温度より低いことを検出した場合、前記運転状態記憶手段から停電状態直前の運転状態を読み出し、前記運転および前記温度状態に基づいて前記洗浄庫内の水および空気を設定温度まで加熱するとともに、停電状態直前の運転状態を継続するように制御する停電後運転制御手段とを有することを特徴とする。
【０００８】
（第３発明）
第３発明の食器洗浄乾燥装置において、温度検出手段が前記洗浄庫内の水および空気が設定温度になった場合、停電後運転制御手段は、残りの運転時間のカウントを再開させることを特徴とする。
【０００９】
（第４発明）
第４発明の食器洗浄乾燥装置において、運転状態は、洗浄、すすぎ、乾燥のいずれかであることを特徴とする。
【００１０】
【発明の実施の形態】
（第１発明）
第１発明の食器洗浄乾燥装置は、少なくとも、洗浄庫内への水の供給を制御する給水弁と、前記洗浄庫内への水および空気を加熱できる加熱手段と、前記洗浄庫内の水温と洗浄庫内の庫内温度を検出できる温度検出手段と、前記温度検出手段によって得られた温度情報に基づいて前記加熱手段の温度および運転状態を制御する制御手段とから構成されており、前記洗浄庫内において、食器等を洗浄、すすぎ、乾燥を連続して行うことができるものである。
【００１１】
第１発明の停電状態とは、発電所を含む電力会社側、家庭に送電される電力線の途中、家庭内の電線や電子機器等における何らかの原因で発生した故障、あるいは食器洗浄乾燥装置の扉を開けた状態で、前記食器洗浄乾燥装置の電源の供給が遮断された状態をいう。
【００１２】
停電検出手段は、前記停電状態を検出するものである。運転状態記憶手段は、前記停電検出手段によって前記停電状態を検出した場合、停電状態直前の運転状態が何度の洗浄水で洗浄していたのか、何度の水ですすぎをしていたのか、あるいは洗浄庫内が何度で食器類を乾燥していたのか等を記憶する。
【００１３】
停電後運転制御手段は、まず、前記停電検出手段によって停電状態が復帰したか否かを検出する。また、前記停電後運転制御手段は、前記温度検出手段によって洗浄庫内の水および空気の温度が略設定温度であるか否かを検出する。そして、前記停電後運転制御手段は、前記運転状態記憶手段から停電状態直前の運転状態を読み出し、そのまま前記運転状態を継続するように制御する。すなわち、前記停電状態が短い場合、停電後運転制御手段は、停電状態の直前と同じ運転状態で食器類を洗浄、すすぎ、あるいは乾燥のいずれかをそのまま継続する。
【００１４】
第１発明は、停電状態が短い場合、食器洗浄乾燥装置を新たに設定することなく、食器類をそのまま設定前の品質で洗浄、すすぎ、乾燥ができる。また、第１発明は、通常の運転状態を制御する制御手段と停電後運転制御手段とは、一つの制御装置として、または、別体の制御装置として、公知または周知の手段を用いて作製することができる。
【００１５】
（第２発明）
第２発明は、停電検出手段によって停電の復帰状態を検出し、前記温度検出手段によって洗浄庫内の水および空気の温度が設定温度より低いことを検出する。前記のように、洗浄庫内の水および空気の温度が設定温度より低いことを検出した場合、停電後運転制御手段は、運転状態記憶手段から停電直前の運転状態を読み出し、前記運転状態および前記温度状態に基づいて前記洗浄庫内の水および空気を設定温度まで加熱するとともに、停電直前の運転状態を継続するように制御する。
【００１６】
第２発明は、停電状態が長く継続していたとしても、停電直前の運転状態を運転状態記憶手段から読み出し、前記運転状態記憶手段に記憶されていた情報に基づいて洗浄庫内を停電直前と同じ状態にした後、同じ工程を行うため、洗浄、すすぎ、乾燥工程の品質を保持することができる。
【００１７】
（第３発明）
第３発明において、停電後運転制御手段は、温度検出手段によって、洗浄庫内の水および空気が設定温度になった場合、運転状態における残りの運転時間のカウントを再開させる。たとえば、乾燥工程の途中に、ある時間停電状態が継続したとすると、第３発明は、停電直前の運転状態が乾燥工程であることを運転状態記憶手段から読み出した後、前記洗浄庫の温度を設定温度に上げてから、前記乾燥工程を残された時間だけ行うようになっている。
【００１８】
（第４発明）
本発明の運転状態は、洗浄工程、すすぎ工程、乾燥工程のいずれかである。そして、前記各工程における水の温度や洗浄庫内の温度は、適切な温度に制御される。
【００１９】
【実施例】
図１は本発明の一実施例を説明するための概略ブロック構成図である。図１において、本発明の食器洗浄乾燥装置は、通常の手段以外に、特に、運転状態記憶手段１１と、運転状態検出手段１７と、停電検出手段１８と、停電後運転状態制御手段１９とを備えている。
【００２０】
本発明の食器洗浄乾燥装置は、通常備えている装置全体を制御する制御手段１０と、洗浄庫の空気や水を加熱する加熱手段１２と、洗浄庫内の空気や水の温度を検出する温度検出手段１３と、食器類を洗浄する洗浄手段１４と、前記食器類を洗浄した後、すすぐすすぎ手段１５と、前記食器類をすすいだ後、乾燥する乾燥手段１６とを少なくとも備えている。前記各手段は、公知または周知の食器洗浄乾燥装置であれば、通常備えているため、詳細な説明を省略する。
【００２１】
前記運転状態記憶手段１１は、洗浄工程、すすぎ工程、あるいは乾燥工程を行うに際し、たとえば、洗浄庫内における空気や水の設定温度、および前記工程の順序等のプログラムが格納されているだけでなく、停電状態となる直前の運転状態である工程やその時の洗浄庫内の空気の温度または水の温度が記憶できるようになっている。
【００２２】
運転状態検出手段１７は、加熱手段１２、温度検出手段１３、洗浄手段１４、すすぎ手段１５、乾燥手段１６の状態を常に監視している。また、制御手段１０は、停電状態を監視していた停電検出手段１８からの情報により、停電状態直前の運転状態を運転状態記憶手段１１に記憶させる。
【００２３】
停電後運転制御手段１９は、制御手段１０と一体または別体として作製することができるものであり、停電が復帰したことを検出して、運転状態記憶手段から、停電直前の運転状態を知り、停電時間が短ければ、そのまま継続し、停電時間が長ければ、洗浄庫の空気や水を設定温度まで加熱手段１２により加熱した後、停電直前の運転状態を再開させる。
【００２４】
停電状態が比較的長い場合、停電後運転制御手段１９は、運転状態記憶手段１１により、停電状態直前の工程が洗浄工程、すすぎ工程、乾燥工程のいずれであるか、また、洗浄庫内の空気および水の温度等の運転状態を知った後、前記洗浄庫内の空気または水を設定温度に加熱してから、残りの洗浄、すすぎ、乾燥を行うようにしている。
【００２５】
図２は図１のブロック構成図にしたがったフローチャートである。図３は本発明の一実施例で、設定温度と停電をはさんだ時間とを説明するための図で、洗浄工程中に停電状態が発生した場合を示している。まず、洗浄庫内に食器類を挿入して、洗浄を開始する（ステップ２１１、ステップ２１２）。
【００２６】
加熱手段１２は、洗浄庫内の空気および洗浄水の温度を図３に示すように上昇させる。制御手段１０は、温度検出手段１３から設定温度に達したという知らせを受けることにより加熱手段１２からの加熱を停止させる。
【００２７】
もし、食器洗浄乾燥装置の電源に停電状態がない場合、図２に示すように洗浄工程、すすぎ工程、乾燥工程が次々に連続して行われた後、処理が終了する（ステップ２１３からステップ２１８）。
【００２８】
前記洗浄工程において、食器洗浄乾燥装置は、図３Ｐ１の時間に停電状態になり、Ｐ２の時間に停電が復帰したものとする。停電検出手段１８は、停電状態を検出するとともに、停電が復帰したか否かを検出する（ステップ２１９、ステップ２２０）。
【００２９】
停電後運転制御手段１９は、運転状態記憶手段１１から、停電状態直前の運転状態、すなわち、洗浄工程と洗浄庫内の温度や洗浄水の温度を読み出す（ステップ２２１）。
【００３０】
前記停電後運転制御手段１９は、前記運転状態記憶手段１１から読み出した情報に基づいて、停電が復帰したＰ２から加熱手段１２を運転させる（ステップ２２２）。
【００３１】
前記停電後運転制御手段１９は、温度検出手段１３によって、洗浄能力が充分に得られる温度（設定温度）に時間Ｐ３で達したか否かを調べる（ステップ２２３）。
【００３２】
前記停電後運転制御手段１９は、洗浄庫および水の温度が洗浄能力を充分に達成できる温度（設定温度）に達したと判断した場合、加熱手段１２の運転を停止させる（ステップ２２４）。
【００３３】
前記停電後運転制御手段１９は、前記運転状態記憶手段１１から洗浄工程の残り時間を読み出し、その残り時間だけ、洗浄を行う（ステップ２１３）。すなわち、前記停電後運転制御手段１９は、図３のＰ３から洗浄運転の終了までの時間を演算して、当該残り時間だけ洗浄を継続する。その後、通常のすすぎ工程および乾燥工程を行った後、処理は終了する（ステップ２１４ないしステップ２１８）。
【００３４】
前記停電後運転制御手段１９は、食器洗浄乾燥装置全体を制御する制御手段１０と分けて説明したが、両者を一つの制御装置内に組み込むことは可能である。また、図２および図３の実施例は、洗浄工程で説明したが、すすぎ工程および乾燥工程の温度についても、略同様に制御することができる。前記制御装置内には、各工程の時間設定するタイマーや温度を設定する設定手段（図示されていない）を有する。
【００３５】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、図１におけるブロック構成図は、公知または周知の技術を使用して容易に構成できる。
【００３６】
【発明の効果】
本発明によれば、各工程の途中で、停電状態が発生して洗浄庫内の温度または水温が低下した場合、加熱手段によって、前記洗浄庫内の温度および水温を上昇した後、残された時間の処理が行われるため、食器洗浄乾燥装置の処理能力を向上させることができるようになった。
【００３７】
本発明によれば、工程の途中で、短時間停電状態が発生した場合、停電状態の直前の運転状態を記憶することができるため、改めて処理を初めから行ったり、あるいは設定をやり直す必要がなくなった。
【００３８】
本発明によれば、食器洗浄乾燥装置の処理工程の終わりに近づいた状態で、停電状態が発生したとしても、停電状態の直前の運転状態を記憶できるため、その時間から処理を再開でき、処理能力を劣化させずに、また、処理時間も無駄にならない。
【図面の簡単な説明】
【図１】本発明の一実施例を説明するための概略ブロック構成図である。
【図２】図１のブロック構成図にしたがったフローチャートである。
【図３】本発明の一実施例で、設定温度と停電をはさんだ時間とを説明するための図で、洗浄工程中に停電状態が発生した場合を示している。
【図４】食器洗浄乾燥装置における洗浄工程の温度に関する図であり、▲１▼は通常の洗浄工程であり、▲２▼は停電が発生した場合の洗浄工程である。
【符号の説明】
１０・・・制御手段
１１・・・運転状態記憶手段
１２・・・加熱手段
１３・・・温度検出手段
１４・・・洗浄手段
１５・・・すすぎ手段
１６・・・乾燥手段
１７・・・運転状態検出手段
１８・・・停電検出手段
１９・・・停電後運転制御手段
【図１】
2004329545.tif 000003
【図２】
2004329545.tif 000004
【図３】
2004329545.tif 000005
【図４】
2004329545.tif 000006